(57)【特許請求の範囲】
【請求項１】
一の表側筐体に設けられた一の軸挿通部と他の表側筐体に設けられた他の軸挿通部とを連結し、前記２つの軸挿通部を軸にして前記一の表側筐体に対して前記他の表側筐体を回転可能にするヒンジ構造であって、
前記一の軸挿通部に挿入される一のヒンジ部と、前記他の軸挿通部に挿入され、前記一のヒンジ部に対して軸周りに回転可能な他のヒンジ部とが連結されたヒンジを備え、
前記一のヒンジ部の外周面に、前記ヒンジの軸方向に沿って、前記他のヒンジ部に相対する側の端部から他方の端部に向かって当該他方の端部に至る中途まで一のスリットが形成され、
前記他のヒンジ部の外周面に、前記ヒンジの軸方向に沿って他のスリットが形成され、
前記一の軸挿通部の内周面に、前記一の軸挿通部の軸方向に沿って、前記他の軸挿通部に相対する側の端部から他方の端部に向かって当該他方の端部に至る中途まで、前記一のスリットと係合する一のリブが形成され、
前記他の軸挿通部の内周面に、前記他の軸挿通部の軸方向に沿って、前記他のスリットと係合する他のリブが形成され、
前記他のリブは、前記他の表側筐体がヒンジを軸にして前記一の表側筐体に対して回転可動範囲を越えて回転されたときに、一のリブの延長線上に位置するように形成され、
前記一の表側筐体に嵌合される一の裏側筐体と、前記他の表側筐体に嵌合される他の裏側筐体とが、当接部において、前記他の表側筐体が前記一の表側筐体に対して前記回転可動範囲を越えて回転することを規制するように形成された
ことを特徴とするヒンジ構造。
【請求項２】
一の表側筐体に設けられた一の軸挿通部と他の表側筐体に設けられた他の軸挿通部とを連結し、前記２つの軸挿通部を軸にして前記一の表側筐体に対して前記他の表側筐体を回転可能にするヒンジ構造であって、
前記一の軸挿通部に挿入される一のヒンジ部と、前記他の軸挿通部に挿入され、前記一のヒンジ部に対して軸周りに回転可能な他のヒンジ部とが連結されたヒンジを備え、
前記一のヒンジ部の外周面に、前記ヒンジの軸方向に沿って、前記他のヒンジ部に相対する側の端部から他方の端部に向かって当該他方の端部に至る中途まで一のリブが形成され、
前記他のヒンジ部の外周面に、前記ヒンジの軸方向に沿って他のリブが形成され、
前記一の軸挿通部の内周面に、前記一の軸挿通部の軸方向に沿って、前記他の軸挿通部に相対する側の端部から他方の端部に向かって当該他方の端部に至る中途まで、前記一のリブと係合する一のスリットが形成され、
前記他の軸挿通部の内周面に、前記他の軸挿通部の軸方向に沿って、前記他のリブと係合する他のスリットが形成され、
前記他のスリットは、前記他の表側筐体がヒンジを軸にして前記一の表側筐体に対して回転可動範囲を越えて回転されたときに、一のスリットの延長線上に位置するように形成され、
前記一の表側筐体に嵌合される一の裏側筐体と、前記他の表側筐体に嵌合される他の裏側筐体とが、当接部において、前記他の表側筐体が前記一の表側筐体に対して前記回転可動範囲を越えて回転することを規制するように形成された
ことを特徴とするヒンジ構造。
【請求項３】
請求項１または請求項２に記載のヒンジ構造を用いた携帯電話機。
【発明の詳細な説明】
【０００１】
【発明の属する技術分野】
本発明は、一の筐体に設けられた一の軸挿通部と他の筐体に設けられた他の軸挿通部とを連結し、一の筐体と他の筐体とを互いに開閉させるヒンジ構造およびそのヒンジ構造を用いた携帯電話機に関する。
【０００２】
【従来の技術】
一の筐体と他の筐体とを連結し、一の筐体と他の筐体とを互いに開閉させるヒンジ構造が存在する。このようなヒンジ構造は、折り畳み可能な筐体構造を有する携帯電話機等に広く利用されている。
【０００３】
そのようなヒンジ構造は、例えば、一の筐体および他の筐体に備えられた軸挿通部と、軸挿通部に挿入されるヒンジとを備えている。一の筐体と他の筐体は、軸挿通部にヒンジが挿入された状態で、連結され、そのヒンジを軸にして互いに開閉することができる。ヒンジの先端部等には、爪部が設けられ、軸挿通部には、ヒンジ部に備えられている爪部を嵌合するための嵌合部が設けられている。そして、ヒンジは、爪部が軸挿通部の嵌合部に嵌合された状態で、軸挿通部の内部に収容される。
【０００４】
【発明が解決しようとする課題】
しかしながら、上記に示したヒンジ構造では、ヒンジが軸挿通部の内部に挿入されたときには、ヒンジの爪部が軸挿通部の嵌合部に嵌合するので、ヒンジを挿入する際には問題は生じないが、ヒンジを引き出す場合には、爪部が破壊されることがある。そのため、装置の分解性が悪化するとともに、取り外されたヒンジの再利用が不可能になることがある。また、ヒンジの爪部が破壊されることにより、装置内でも損傷が発生することがある。
【０００５】
また、上記に示したヒンジ構造は、ヒンジに爪部が設けられるとともに、軸挿通部に嵌合部が設けられている構成になっているので、ヒンジ構造における部品点数が増加することがある。そのため、ヒンジ構造の製造コスト等が高くなることがある。
【０００６】
そこで、本発明は、装置内に挿入されたヒンジの引き出しを容易に行うことができ、引き出したヒンジの再利用が可能なヒンジ構造およびそのヒンジ構造を用いた携帯電話機を提供することを目的とする。
【０００７】
【課題を解決するための手段】
本発明によるヒンジ構造は、一の筐体に設けられた一の軸挿通部に挿入される一のヒンジ部と、他の筐体に設けられた他の軸挿通部に挿入され、一のヒンジ部に対して軸周りに回転可能な他のヒンジ部とが連結されたヒンジを備え、一のヒンジ部の外周面に、ヒンジの軸方向に沿って、他のヒンジ部に相対する側の端部から他方の端部に向かって当該他方の端部に至る中途まで一のスリットが形成され、他のヒンジ部の外周面に、ヒンジの軸方向に沿って他のスリットが形成され、一の軸挿通部の内周面に、一の軸挿通部の軸方向に沿って、他の軸挿通部に相対する側の端部から他方の端部に向かって当該他方の端部に至る中途まで、一のスリットと係合する一のリブが形成され、他の軸挿通部の内周面に、他の軸挿通部の軸方向に沿って、他のスリットと係合する他のリブが形成され、他のリブが、他の表側筐体がヒンジを軸にして一の表側筐体に対して回転可動範囲を越えて回転されたときに、一のリブの延長線上に位置するように形成され、一の表側筐体に嵌合される一の裏側筐体と、他の表側筐体に嵌合される他の裏側筐体とが、当接部において、他の表側筐体が一の表側筐体に対して回転可動範囲を越えて回転することを規制するように形成されたことを特徴とする。
【００１１】
本発明による他の態様のヒンジ構造は、一の筐体に設けられた一の軸挿通部に挿入される一のヒンジ部と、他の筐体に設けられた他の軸挿通部に挿入され、一のヒンジ部に対して軸周りに回転可能な他のヒンジ部とが連結されたヒンジを備え、一のヒンジ部の外周面に、ヒンジの軸方向に沿って、他のヒンジ部に相対する側の端部から他方の端部に向かって当該他方の端部に至る中途まで一のリブが形成され、他のヒンジ部の外周面に、ヒンジの軸方向に沿って他のリブが形成され、一の軸挿通部の内周面に、一の軸挿通部の軸方向に沿って、他の軸挿通部に相対する側の端部から他方の端部に向かって当該他方の端部に至る中途まで、一のリブと係合する一のスリットが形成され、他の軸挿通部の内周面に、他の軸挿通部の軸方向に沿って、他のリブと係合する他のスリットが形成され、他のスリットが、他の表側筐体がヒンジを軸にして一の表側筐体に対して回転可動範囲を越えて回転されたときに、一のスリットの延長線上に位置するように形成され、一の表側筐体に嵌合される一の裏側筐体と、他の表側筐体に嵌合される他の裏側筐体とが、当接部において、他の表側筐体が一の表側筐体に対して回転可動範囲を越えて回転することを規制するように形成されたことを特徴とする。
【００１２】
ヒンジ構造は、携帯電話機等に組み込まれてもよい。
【００１３】
【発明の実施の形態】
以下、本実施の形態について図面を参照して説明する。図１は、本発明によるヒンジ構造が用いられた携帯電話機を示す斜視図である。
【００１４】
図１に示す携帯電話機は、ヒンジ１、ボタン側筐体２および表示側筐体３を備えている。ボタン側筐体２には、ダイヤルボタンなどを埋め込むためのボタン孔や通話者からの音声を入力するためのマイク孔等が形成されている。表示側筐体３には、相手先電話番号や通話時間等を表示する表示パネル（液晶パネル）を埋め込むための表示孔や相手方からの受話音声を出力するためのスピーカ孔等が形成されている。ヒンジ１は、ボタン側筐体２と表示側筐体３とを結合するために用いられる。ボタン側筐体２は、一の筐体に相当し、表示側筐体３は、他の筐体に相当する。
【００１５】
図２は、ヒンジ１の斜視図である。ヒンジ１は、ヒンジ部１ａおよびヒンジ部１ｂから成る。ヒンジ部１ｂは、ヒンジ部１ａの先端部に設けられている。ヒンジ部１ａおよびヒンジ部１ｂは、同じ径寸法の筒状体で構成される。ヒンジ部１ａは、ボタン側筐体２に収容され、ヒンジ部１ｂは、表示側筐体３に収容される。ヒンジ部１ａおよびヒンジ部１ｂは、同一の軸を中心にして軸回りに回転可能である。すなわち、ヒンジ部１ｂは、ヒンジ部１ａに対して軸周りに回転可能である。ヒンジ部１ａは、一のヒンジ部に相当し、ヒンジ部１ｂは、他のヒンジ部に相当する。
【００１６】
例えば、ヒンジ部１ａにおいて、ヒンジ部１ｂに接する一端面には係合爪が突設されている。ヒンジ部１ｂにおいて、ヒンジ部１ａに接する一端面には爪が突設されている。ヒンジ部１ａに突設されている係合爪とヒンジ部１ｂに突設されている爪とが係合することによって、ヒンジ部１ｂはヒンジ部１ａに装着される。そして、ヒンジ部１ｂの爪がヒンジ１ａの係合爪の上を滑ることによって、ヒンジ部１ｂは、ヒンジ部１ａに対して軸周りに回転する。
【００１７】
ヒンジ部１ａの外周面には、軸方向に沿ってスリット１ｃが形成されている。スリット１ｃは、ヒンジ部１ａの一部が外周面から軸に渡る深さで、軸方向に沿って切り除かれることによって形成されている。ヒンジ部１ｂの外周面には、軸方向に沿ってスリット１ｄが形成されている。スリット１ｄも、スリット１ｃと同様に、ヒンジ部１ａの一部が外周面から軸に渡る深さで、軸方向に沿って切り除かれることによって形成されている。また、スリット１ｃは、ヒンジ部１ａの外周面に１８０度の間隔をもって２つ形成されている。同様に、スリット１ｄは、ヒンジ部１ｂの外周面に１８０度の間隔をもって形成されている（図４参照）。スリット１ｃおよびスリット１ｄは、軸挿通部２ａおよび軸挿通部３ａに収容されたときに、ヒンジ部１ａおよびヒンジ部１ｂを回転させず固定するために設けられている。また、スリット１ｃおよびスリット１ｄの深さおよび幅は同一である。スリット１ｃは、一のスリットに相当し、スリット１ｄは、他のスリットに相当する。
【００１８】
図３は、ボタン側筐体２および表示側筐体３の斜視図である。ボタン側筐体２の一端部には、軸挿通部２ａおよび半円柱部４ａが突設されている。軸挿通部２ａは、２つ設けられ、半円柱部４ａは、一の軸挿通部２ａと他の軸挿通部２ａとに挟まれた位置に設けられている。軸挿通部２ａには、ヒンジ部１ａが挿入される。軸挿通部２ａは、一の軸挿通部に相当する。
【００１９】
軸挿通部２ａには、ヒンジ部１ａおよびヒンジ部１ｂを挿通させるための挿通孔２ｂが形成されている。挿通孔２ｂは、筒状に形成され、その筒の径寸法は、ヒンジ部１ａおよびヒンジ部１ｂの径寸法と同程度の大きさである。挿通孔２ｂの内周面には、軸方向に沿ってキー（係合リブ）２ｃが突設されている。キー２ｃは、ヒンジ部１ａのスリット１ｃと同程度の幅を有し、スリット１ｃと係合するために設けられている。キー２ｃは、挿通孔２ｂの内周面に１８０度の間隔をもって２つ形成されている。キー２ｃは、一のリブに相当する。
【００２０】
表示側筐体３の一端部には、軸挿通部３ａおよび半円柱部４ｂが突設されている。軸挿通部３ａは、２つ設けられ、半円柱部４ｂは、一の軸挿通部３ａと他の軸挿通部３ａとに挟まれた位置に設けられている。軸挿通部３ａには、ヒンジ部１ｂが挿入される。
【００２１】
軸挿通部３ａには、ヒンジ部１ｂを挿通させるための挿通孔３ｂが形成されているとともに、ヒンジ部１ｂが挿入される深さを規定するためのストッパ３ｄが形成されている。ストッパ３ｄは、挿通孔３ｂが形成されている面に対向する面に形成されている。挿通孔３ｂは、一端が閉塞された筒状に形成され、その筒の径寸法は、ヒンジ部１ｂの径寸法と同程度の大きさである。ストッパ３ｄは、筒底の面である。挿通孔３ｂの内周面には、軸方向に沿ってキー（係合リブ）３ｃが突設されている。キー３ｃは、ヒンジ部１ｂのスリット１ｄと同程度の幅を有し、スリット１ｄと係合するために設けられている。キー３ｃは、挿通孔３ｂの内周面に１８０度の間隔をもって２つ形成されている。キー３ｃは、他のリブに相当する。
【００２２】
軸挿通部３ａが軸挿通部２ａと半円柱部４ａとの間に挿入され、軸挿通部２ａおよび軸挿通部３ａにヒンジ１が挿入されることによって、表示側筐体３とボタン側筐体２とが結合される。ボタン側筐体２における半円柱部４ａと表示側筐体３における半円柱部４ｂとは嵌合する。キー２ｃは、表示側筐体３がボタン側筐体２に結合された状態で、表示側筐体３がボタン側筐体２に対して特定の角度をもって折り曲げられたときに、キー３ｃの延長線上に位置するように配置されている。すなわち、特定の角度をもって折り曲げられたときに、キー２ｃおよびキー３ｃが同一の直線上に位置するように、キー２ｃおよびキー３ｃは、配置されている。以下、本実施の形態では、その特定の角度を例えば１７０度として説明を進める。なお、図３では図示していないが、ボタン側筐体２および表示側筐体３の裏面には、対応する裏面筐体が嵌合する。
【００２３】
次に、本発明によるヒンジ構造の動作について説明する。まず、ヒンジ１を軸挿通部２ａおよび軸挿通部３ａに挿入させる動作から説明する。図５は、ボタン側筐体２と表示側筐体３の接合部を図１に示すＡ−Ｂの断面で切断したときの断面を示す断面図である。図６は、表示側筐体３の開閉動作を説明するための説明図である。
【００２４】
まず、表示側筐体３の軸挿通部３ａをボタン側筐体２の軸挿通部２ａと半円柱部４ａとの間に挿入し、挿通孔２ｂと挿通孔３ｂとを合わせることによって、軸挿通部２ａおよび軸挿通部３ａの内部に、一端が閉塞された筒状の空間を形成する。すなわち、挿通孔２ｂによって形成される空間と挿通孔３ｂによって形成される空間とを連通させる。
【００２５】
次に、表示側筐体３を軸挿通部２ａおよび軸挿通部３ａを軸にして回転させ、表示側筐体３とボタン側筐体２とのなす角が１７０度になるようにする（図６（ａ）参照）。すると、軸挿通部２ａおよび軸挿通部３ａの内部では、キー２ｃがキー３ｃの延長線上に位置するようになる（図５（ａ））。すなわち、キー２ｃおよびキー３ｃが同一の直線上に位置するようになる。なお、予め、ヒンジ部１ｂをある位置まで回転させておくことによって、スリット１ｃがスリット１ｄの延長線上に位置するように調整しておく。
【００２６】
この状態で、ヒンジ１を軸挿通部２ａおよび軸挿通部３ａに挿入する。このとき、スリット１ｄをキー２ｃおよびキー３ｃの表面で滑らせて、ヒンジ部１ｂを軸挿通部３ａ内に挿入し、スリット１ｃをキー２ｃの表面で滑らせて、ヒンジ部１ａを軸挿通部２ａ内に挿入する（図５（ｂ）（ｃ））。ヒンジ部１ｂは、ストッパ３ｄに突き当たる。このように、表示側筐体３とボタン側筐体２とのなす角が１７０度である場合に限り、ヒンジ１を軸挿通部２ａおよび軸挿通部３ａに挿入することができる。
【００２７】
次に、表示側筐体３を軸挿通部２ａおよび軸挿通部３ａを軸にして回転させ、表示側筐体３とボタン側筐体２とのなす角が１７０度以下の角度（以下、本実施の形態では、この角度を例えば１６０度として扱う。）になるようにする（図６（ａ）参照）。このとき、軸挿通部３ａが回転し、それに伴ってヒンジ部１ｂも回転する。ヒンジ部１ａについても同様である。そうすると、図５（ｄ）に示すように、ヒンジ１を軸挿通部２ａおよび軸挿通部３ａから引き出そうとしても、ヒンジ部１ｂがキー３ｃによって阻止される。すなわち、ヒンジ部１ｂがキー３ｃに引っ掛かってしまうので、軸挿通部２ａおよび軸挿通部３ａに挿入されているヒンジ１を引き出すことができない。このような状態は、表示側筐体３とボタン側筐体２とのなす角が回転可動範囲（０度から１６０度）内にある場合にも持続する。
【００２８】
そして、携帯電話機を組み立てることによって、ボタン側筐体２に対する表示側筐体３の回転可動範囲を規定する。例えば、図６（ｂ）に示すように、ボタン側筐体２とそれに対応する裏面筐体とを嵌合するとともに、表示側筐体３とそれに対応する裏面筐体とを嵌合することによって、上部筐体（表示側筐体３および裏面筐体）が下部筐体（ボタン側筐体２および裏面筐体）に対して回転可動範囲より大きい角度で折り曲げができないようにする。すなわち、上部筐体を下部筐体に対して回転可動範囲より大きい角度で折り曲げようとする場合には、上部筐体の一端部が下部筐体の一端部に引っ掛かるように、携帯電話機を組み立てる。このようにして、携帯電話機を組み立てることによって、通常時には、軸挿通部２ａおよび軸挿通部３ａに挿入されているヒンジ１が引き出されることを阻止することができる。
【００２９】
次に、軸挿通部２ａおよび軸挿通部３ａに挿入されているヒンジ１を引き出す動作について説明する。
【００３０】
まず、ボタン側筐体２に嵌合している裏面筐体を取り外すとともに、表示側筐体３に嵌合している裏面筐体を取り外す。そして、表示側筐体３を軸挿通部２ａおよび軸挿通部３を軸にして回転させ、表示側筐体３とボタン側筐体２とのなす角が１７０度になるようにする。すると、キー２ｃがキー３ｃの延長線上に位置するようになるとともに、スリット１ｃがスリット１ｄの延長線上に位置するようになる。
【００３１】
そして、この状態で、スリット１ｄをキー２ｃおよびキー３ｃの表面で滑らせて、また、スリット１ｃをキー２ｃの表面で滑らせて、軸挿通部２ａおよび軸挿通部３ａに挿入されているヒンジ１を引き出す。このとき、ヒンジ１が直線状に連なったキー２ｃおよびキー３ｃの表面で滑るようにして、ヒンジ１を引き出すことができるので、容易にヒンジ１を引き出すことができるとともに、引き出す際にヒンジ１が破損することがない。従って、装置の分解性を向上させることができるとともに、引き出されたヒンジ１の再利用が可能になる。
【００３２】
以上のように、本実施の形態に係るヒンジ構造は、ヒンジ１の外周面にスリット１ｃおよびスリット１ｄが形成され、ボタン側筐体２に設けられている軸挿通部２ａの内部にスリット１ｃと係合するためのキー２ｃが形成され、表示側筐体３に設けられている軸挿通部３ａの内部にスリット１ｄと係合するためのキー２ｃが形成され、ボタン側筐体２と表示側筐体３との為す角が特定の角度になった場合にのみ、直線状に連なったキー２ｃおよびキー３ｃの上を滑るようにしてヒンジ１を引き出すことができる構成にしたので、軸挿通部２ａおよび軸挿通部３ａに挿入されているヒンジ１を容易に引き出すことができるとともに、引き出す際にヒンジ１が破損することを防止することができる。従って、装置の分解性が向上するとともに、引き出されたヒンジ１の再利用が可能になる。
【００３３】
また、本実施の形態に係るヒンジ構造では、ヒンジ１に爪部を備えることが不要になるとともに、軸挿通部２ａおよび軸挿通部３ａの内部に爪部を嵌合するための嵌合部を備えることも不要になる。従って、ヒンジ構造における部品点数を従来のヒンジ構造と比較して削減することができるので、製造コスト等の削減を図ることができる。
【００３４】
なお、上記の実施の形態では、ヒンジ１にスリット１ｃおよびスリット１ｄが形成され、軸挿通部２ａの内部にキー２ｃが形成され、軸挿通部３ａの内部にキー３ｃが形成された例について示したが、図７（ａ）〜（ｄ）に示すように、ヒンジ１にスリット１ｃおよびスリット１ｄの代わりにキー１ｅおよびキー１ｆを形成し、軸挿通部２ａの内部にキー２ｃの代わりにスリット２ｄを形成し、軸挿通部３ａの内部にキー３ｃの代わりにスリット３ｅを形成してもよい。このようにしても、先の実施の形態に係るヒンジ構造と同様の機能を実現することができる。
【００３５】
また、ヒンジ構造が組み込まれる装置として携帯電話機を例示したが、そのような装置は、携帯電話機に限定されない。例えば、ユーザによって入力された文字情報等をケーブル等の接続媒体を介して携帯電話機に送信する文字入力装置（例えば、ＮＴＴドコモ株式会社が提供しているポケットボード等がある）に対して組み込んでもよい。また、携帯電話機に関連する装置に限らず、折り畳み可能な筐体構造を有する電子機器（ノート型パーソナルコンピュータ等）に対しても組み込んでもよい。
【００３６】
さらに、上記の実施の形態では、スリット１ｃ、スリット１ｄ、キー２ｃおよびキー３ｃがそれぞれ２つずつ設けられた例について示したが、それらは、各１つずつ設けられてもよい。
【００３７】
【発明の効果】
本発明によれば、ヒンジ構造は、一の筐体に備えられている一の軸挿通部に挿入される一のヒンジ部と、他の筐体に備えられている他の軸挿通部に挿入され、一のヒンジ部に対して軸周りに回転可能な他のヒンジ部とが連結されたヒンジを備え、一のヒンジ部の外周面に、ヒンジの軸方向に沿って、他のヒンジ部に相対する側の端部から他方の端部に向かって当該他方の端部に至る中途まで一のスリットが形成され、他のヒンジ部の外周面に、ヒンジの軸方向に沿って他のスリットが形成され、一の軸挿通部の内周面に、一の軸挿通部の軸方向に沿って、他の軸挿通部に相対する側の端部から他方の端部に向かって当該他方の端部に至る中途まで、一のスリットと係合する一のリブが形成され、他の軸挿通部の内周面に、他の軸挿通部の軸方向に沿って、他のスリットと係合する他のリブが形成された構成になっているので、一の軸挿通部および他の軸挿通部に挿入されているヒンジを一のリブおよび他のリブの上を滑らすようにして引き出すことができる。従って、ヒンジを損傷させずに引き出すことができる。よって、装置の分解性を向上させることができるとともに、ヒンジの再利用が可能になる。また、他のリブが、他の表側筐体がヒンジを軸にして一の表側筐体に対して回転可動範囲を越えて回転されたときに、一のリブの延長線上に位置するように形成され、一の表側筐体に嵌合される一の裏側筐体と他の表側筐体に嵌合される他の裏側筐体とが当接部において他の表側筐体が一の表側筐体に対して回転可動範囲を越えて回転することを規制するように形成されているので、使用時に、軸挿通部に挿入されているヒンジ部が引き出されることを阻止することができる。
【図面の簡単な説明】
【図１】  本発明によるヒンジ構造が用いられた携帯電話機を示す斜視図である。
【図２】  ヒンジ１の斜視図である。
【図３】  ボタン側筐体２および表示側筐体３の斜視図である。
【図４】  軸挿通部２ａおよび軸挿通部３ａにヒンジ１を挿入する場合の挿入動作を説明するための説明図である。
【図５】  ボタン側筐体２と表示側筐体３の接合部を図１に示すＡ−Ｂの断面で切断したときの断面を示す断面図である。
【図６】  表示側筐体３の開閉動作を説明するための説明図である。
【図７】  ボタン側筐体２と表示側筐体３の接合部を図１に示すＡ−Ｂの断面で切断したときの断面を示す断面図である。
【符号の説明】
１          ヒンジ
１ａ、１ｂ  ヒンジ部
１ｃ、１ｄ  スリット
２          ボタン側筐体
２ａ        軸挿通部
２ｂ        挿通孔
２ｃ        キー
３          表示側筐体
３ａ        軸挿通部
３ｂ        挿通孔
３ｃ        キー
４ａ、４ｂ  半円柱部
【図１】
0003730887.tif 000002
【図２】
0003730887.tif 000003
【図３】
0003730887.tif 000004
【図４】
0003730887.tif 000005
【図５】
0003730887.tif 000006
【図６】
0003730887.tif 000007
【図７】
0003730887.tif 000008